(57)【要約】      （修正有）【課題】最小限の小物類の携帯とチェックを常に容易にし、而も携帯していることが分からないよう隠しポケットとし見た目にはすっきりとして感じが良い衣服の提供である。【解決手段】見返し３ａ・４ａの縦方向の側端に沿って半分に分割するよう設けて縫着する割り３ｂ・４ｂの胸部付近の一部に未縫着部８ｂを設け、差込部を並設置したペン差しポケット１０を右前身頃３胸部表面の略上方中央に、着脱可能とした上蓋付の携帯ポケット１１をペン差しポケット１０下方の右前身頃３胸部表面に、一側端にファスナー１２ａを設けたトラベルポケット１２をファスナーを１２ａ中央縦側にし左前身頃４胸部表面の略上方中央に、長手方向の中央に切込１３ａを設けたティッシュ用ポケット１３をトラベルポケット１２下方の左前身頃４胸部表面にそれぞれ縫着し、見返し３ａ・４ａに縫着する縦方向の割り３ｂ・４ｂの未縫着部９ａにファスナー９を設けるようにしたものである。【選択図】図１
0003112166.tif 000002
【実用新案登録請求の範囲】
【請求項１】
開口裏側に見返しを設けた右前身頃と左前身頃と、右後身頃と左後身頃と袖と衿と、両側を見返しに合わせた裏地とを縫着にて一体とした衣服本体に於いて、見返しの縦方向の側端に沿って略半分に分割するよう設けて縫着する割りの胸部付近の一部に未縫着部を設け、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着にて設けるようにしたことを特徴とする衣服。
【請求項２】
見返しに縫着する縦方向の割りの未縫着部にファスナーを設けた請求項１記載の衣服。
【考案の詳細な説明】
【技術分野】
【０００１】  本考案は仕事或は日常生活の外出時に必要な小物類を収納して携帯出来るようにした衣服に関するものである。
【背景技術】
【０００２】  科学の発達に伴って仕事或は日常生活が多様化してきているため、それぞれの目的に対応するために用いられる小物類（例えば筆記用具・ティッシュ・携帯電話・免許証等）も多くなり、特に外出時にはポケットの一部に或はカバンやケースなどに入れて持ち歩き目的に応じて用いるようになつてきている。
【考案が解決しようとする課題】
【０００３】  このように外出時にポケットの一部に或はカバンやケースなどに入れて持ち歩き目的に応じて用いるようにしているが、仕事及び旅行等の日常生活では使用したい時にポケット或はカバンやケースに入って無くてもそれで済ませることが出来るが、仕事の時には最小限のものは常に用いることが出来るようにしていないと困ることが多々有り、ポケット或はカバンやケースに入れ忘れたり又入れた心算で入れてなかったりしてしまいがちになる等小物類の持ち歩く上に於いて非常に不都合を感じていた。
【課題を解決するための手段】
【０００４】  本考案はこのような不都合を解消し、隠しポケットとなるよう覆い常にチェックを容易にし最小限の小物類の携帯を可能としたために手がふさがらず、しかも防犯上貴重品を隠し、守ることが出来るようにし見た目にはすっきりとして感じが良い衣服を提供せんとするものである。
開口裏側に見返しを設けた右前身頃と左前身頃と、右後身頃と左後身頃と袖と衿と、両側を見返しに合わせた裏地とを縫着にて一体とした衣服本体に於いて、見返しの縦方向の側端に沿って略半分に分割するよう設けて縫着する割りの胸部付近の一部に未縫着部を設け、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着し、見返しに縫着する縦方向の割りの未縫着部にファスナーを設けるようにしたものである。
【０００５】  使用に当っては、従来の衣服と同じように着用すれば良い。
着用してファスナーを開け、必需品としてのペン類はペン差しポケットに入れ、携帯電話は携帯ポケットに入れ上蓋で蓋し、お金や免許証などはトラベルポケットに入れファスナーを閉め、テイッシュペーパーはテイッシュ用ポケットに切込を開けて入れる。
このように必需品を各ポケットに入れ終ると、再度ファスナーを閉めて外出するが、服の着用時は勿論服の胸を開けても裏地にて胸部に設けた各ポケットが隠され胸に何かを入れているのかが全く分からないため、見た目にもすっきりとし感じよく着用することが出来る。  そして必需品を使用する時や使用が終って必需品を各ポケットから取り出す時には前述の手順の逆の要領で行なえば良い。
【０００６】  尚、右前身頃・左前身頃裏面に設けた各種ポケットの外郭を裏地と縫着して大きな袋状を形成することによって、未縫着部の中全体を各種ポケットとは別の大きなポケットとして使用することが出来る。
【考案の効果】
【０００７】  上述の如く本考案の請求項１に於いては、普通の衣服として着用出来ると共に、お金や免許証などの大切な物からテイッシュや筆記具や携帯電話などの日常の必需品を落とすことなく安全に携帯することが出来ると共に、必需品を入れた各ポケットが衣服本体と裏地にて隠され胸に何を入れているのかが全く分からず、見た目にもすっきりとし感じよく着用することが出来る。
請求項２に於いては、必需品の携帯をより安全確実にする。
このように多くの特長が有り実用上非常に優れた考案である。
【考案を実施するための最良の形態】
【０００８】  開口裏側に見返しを設けた右前身頃と左前身頃と、右後身頃と左後身頃と袖と衿と、両側を見返しに合わせた裏地とを縫着にて一体とした衣服本体に於いて、見返しの縦方向の側端に沿って略半分に分割するよう設けて縫着する割りの胸部付近の一部に未縫着部を設け、差込部を並設置したペン差しポケットを右前身頃胸部表面の略上方中央に、着脱可能とした上蓋付の携帯ポケットをペン差しポケット下方の右前身頃胸部表面に、一側端にファスナーを設けたトラベルポケットをファスナーを中央縦側にし左前身頃胸部表面の略上方中央に、長手方向の中央に切込を設けたティッシュ用ポケットをトラベルポケット下方の左前身頃胸部表面にそれぞれ縫着し、見返しに縫着する縦方向の割りの未縫着部にファスナーを設けるようにしたものである。
【実施例】
【０００９】  以下本考案の一実施例を図面について説明する。
図中１は衣服全体を示し、２は衣服本体であって、開口側に見返し３ａを設けた右前身頃３と開口側に見返し４ａを設けた左前身頃４と右後身頃５ａと左後身頃５ｂとを肩と脇下にて縫着し袖６を両脇に設け、衿７を右前身頃２と左前身頃４と右後身頃５ａと左後身頃５ｂの上部に設けると共に、見返し３ａ・４ａの縦方向の側端に沿って略半分に分割するよう設けて縫着する割り３ｂ・４ｂの胸部付近の一部を未縫着部９ａとなるよう設けている。
８は裏地であって、右前身頃３と左前身頃４と右後身頃５ａと左後身頃５ｂと衿７の裏側に設け、裏地８の両側８ａを見返し３ａ・４ａと縫着にて設けている。
９はファスナーであって、前記未縫着部９ａに設け開閉を可能としている。
１０は長方形でペンの差し込み口の異なる差込部を並設置したペン差しポケットであって、前記右前身頃３胸部表面の略上方中央に縫着にて設けている。【００１０】  １１は長方形でマジックテープにて着脱可能とした上蓋１１ａ付で携帯電話収納用の携帯ポケットであって、ペン差しポケット１０下方の右前身頃３胸部表面に縫着にて設けている。
１２は略正方形で一側端にファスナー１２ａを設けたトラベルポケットであって、前記左前身頃３胸部表面の略上方中央にファスナー１２ａを中央縦側にし縫着にて設けている。
１３は長方形で長手方向の中央に切込１３ａを設け切込１３ａの両端よりやや内側に糸による円止１３ｂを行なったティッシュ用ポケットであって、前記トラベルポケット１２下方の左前身頃４胸部表面に縫着にて設けている。【００１１】  使用に当っては、従来の衣服と同じように着用すれば良い。
着用してから左右のファスナー９を開け、必需品としてのペン類はペン差しポケット１０に差し込み、携帯電話は上蓋１１ａを開け携帯ポケット１１に入れ再度上蓋１１ａで蓋し、お金や免許証などはトラベルポケット１２に入れてファスナー１２ａを閉め、テイッシュペーパーはテイッシュ用ポケット１３に切込１３ａを円止１３ｂの範囲で開けて入れる。
このように必需品を各ポケットに入れ終ると、再度ファスナー９を閉めて外出するが、服の着用時は勿論服の胸を開けても裏地８にて胸部に設けた各ポケットが隠され胸に何かを入れているのかが全く分からないため、見た目にもすっきりとし感じよく着用することが出来る。
そして必需品を使用する時や使用が終って必需品を各ポケットから取り出す時には前述の手順の逆の要領で行なえば良い。
【産業上の利用可能性】
【００１２】  衣服として着用する各種の上着類に利用することが出来る。
【図面の簡単な説明】
【００１３】
【図１】本考案実施例の一部を破断した背面図
【図２】本考案実施例の正面図
【図３】本考案実施例の左前身頃の背面図
【符号の説明】
【００１４】  １    衣服
２    衣服本体
３    右前身頃
３ａ  見返し
３ｂ  割り
４    左前身頃
４ａ  見返し
４ｂ  割り
５ａ  右後身頃
５ｂ  左後身頃
６    袖
７    衿
８    裏地
８ａ  両側
９    ファスナー
９ａ  未縫着部
１０    ペン差しポケット
１１    携帯電話用ポケット
１１ａ  蓋
１２    トラベルポケット
１２ａ  ファスナー
１３    テイッシュ用ポケット
１３ａ  切込
１３ｂ  円止
【図１】
0003112166.tif 000003
【図２】
0003112166.tif 000004
【図３】
0003112166.tif 000005